【手続補正書】
【提出日】平成30年7月11日(2018.7.11)
【手続補正１】
【補正対象書類名】特許請求の範囲
【補正対象項目名】全文
【補正方法】変更
【補正の内容】
【特許請求の範囲】
【請求項１】
画像形成デバイスにおいて受像媒体を搬送するためのシステムであって、
作像部材と、
対向部材であって、前記対向部材が、前記作像部材に、前記作像部材上に形成される画像が転写ニップに導入される受像媒体基材の第１の面に転写される前記転写ニップを形成するために力を加える対向部材と、
処理方向に前記転写ニップの下流に配置される剥離ローラであって、（１）前記作像部材との相互作用を通じて剥離ニップを形成し、（２）前記受像媒体の第２の表面と接することによって前記受像媒体上に剥離力を及ぼし、前記受像媒体の前記第２の表面が、前記第１の表面に対向する剥離ローラと、
第１の位置と第２の位置との間で前記剥離ローラを動かす機械部品であって、前記第１の位置が前記剥離ニップを形成するために前記作像部材と接触し、前記第２の位置が前記剥離ローラと前記作像部材との間で接触部を開く機械部品と、
前記処理方向の前記剥離ニップの下流で前記剥離ローラと物理的に接触する少なくとも一つの剥離アセンブリであって、前記剥離ローラとの接触により前記受像媒体を剥離させる剥離アセンブリと、
を備え、
前記少なくとも一つの剥離アセンブリは、前記剥離ローラのスパン方向に沿って配置された複数の剥離リブを備えるシステム。
【請求項２】
前記作像部材が作像ベルトであり、前記作像ベルトが内圧ローラの周りを通り、前記対向部材が前記作像ベルトと接する外圧ローラであって、前記内圧ローラと、前記外圧ローラとの間に前記作像ベルトを挟むことによって、前記転写ニップを形成する、請求項１に記載のシステム。
【請求項３】
前記剥離ローラが、前記内圧ローラの直径より短い直径を有する、請求項２に記載のシステム。
【請求項４】
前記剥離ローラが、２５〜５０ｍｍの範囲の直径を有する、請求項１に記載のシステム。
【請求項５】
少なくとも前記剥離ローラの表面は、前記処理方向における前記転写ニップの下流の前記受像媒体に対して、前記受像媒体基材の付着力を超えて前記剥離力を及ぼす材料によって形成されている、請求項１に記載のシステム。
【請求項６】
前記剥離ローラの前記表面は、シリコーン材料で形成されている、請求項５に記載のシステム。
【請求項７】
さらに、前記処理方向における前記少なくとも一つの剥離デバイスの下流に配置された一つのペアの出口ピンチローラを備え、当該出口ピンチローラが前記受像媒体の搬送を行う、請求項１に記載のシステム。
【請求項８】
画像形成デバイスであって、
受像媒体供給部品と、
作像部材と、
前記作像部材上に転写可能画像を形成する媒体マーキングユニットと、
前記作像部材に、前記作像部材上に形成される転写可能画像が転写ニップに導入される受像媒体基材の第１の面に転写される前記転写ニップを形成するための力を加える対向部材と、
処理方向に前記転写ニップの下流に配置される剥離ローラを備える剥離ユニットであって、前記剥離ローラが、（１）前記作像部材との相互作用を通じて剥離ニップを形成し、（２）前記受像媒体の第２の表面と接することによって前記受像媒体上に剥離力を及ぼし、前記受像媒体の前記第２の表面が、前記第１の表面に対向する剥離ユニットと、
第１の位置と第２の位置との間で前記剥離ローラを動かす機械部品であって、前記第１の位置が前記剥離ニップを形成するために前記作像部材と接触し、前記第２の位置が前記剥離ローラと前記作像部材との間で接触部を開く機械部品と、
前記処理方向の前記剥離ニップの下流で前記剥離ローラと物理的に接触する少なくとも一つの剥離アセンブリであって、前記剥離ローラとの接触により前記受像媒体を剥離させる剥離アセンブリと、
を備え、
前記少なくとも一つの剥離アセンブリは、前記剥離ローラのスパン方向長さに沿って配置された複数の剥離リブを備える画像形成デバイス。
【請求項９】
前記作像部材が作像ベルトであり、前記作像ベルトが内圧ローラの周りを通り、前記対向部材が前記作像ベルトと接する外圧ローラであって、前記内圧ローラと、前記外圧ローラとの間に前記作像ベルトを挟むことによって、前記転写ニップを形成する、請求項８に記載の画像形成デバイス。
【請求項１０】
前記剥離ローラが、前記内圧ローラの直径より短い直径を有する、請求項９に記載の画像形成デバイス。
【請求項１１】
少なくとも前記剥離ローラの表面は、前記処理方向における前記転写ニップの下流の前記受像媒体に対して、前記受像媒体基材の付着力を超えて前記剥離力を及ぼす材料によって形成されている、請求項８に記載の画像形成デバイス。
【請求項１２】
前記剥離ローラの前記表面は、シリコーン材料で形成されている、請求項１１に記載の画像形成デバイス。
【請求項１３】
さらに、前記処理方向における前記少なくとも一つの剥離デバイスの下流に配置された一つのペアの出口ピンチローラを備え、当該出口ピンチローラが前記受像媒体の搬送を行う、請求項８に記載の画像形成デバイス。
【請求項１４】
画像形成デバイスにおいて受像媒体を搬送するための方法であって、
作像部材上に画像を形成するステップと、
前記作像部材を対向部材と接触させるステップであって、前記対向部材が、前記作像部材に、前記作像部材上に形成される画像が転写ニップに導入される受像媒体基材の第１の面に転写される前記転写ニップを形成するための力を加えるステップと、
前記作像部材を、剥離ニップを形成するために処理方向に前記転写ニップの下流に配置される剥離ローラと接触させるステップと、
前記剥離ローラにより、前記剥離ローラと、前記受像媒体の第２の表面との間に接触による前記受像媒体上に剥離力を及ぼすステップであって、前記受像媒体の前記第２の表面が、前記第１の表面と対向するステップと、
第１の位置と第２の位置との間で前記剥離ローラを動かす機械部品を作用させるステップであって、前記第１の位置が前記剥離ニップを形成するために前記作像部材と接触し、前記第２の位置が前記剥離ローラと前記作像部材との間で接触部を開くステップと、
前記処理方向の前記剥離ニップの下流で前記剥離ローラを少なくとも一つの剥離アセンブリと接触させて、前記受像媒体を剥離させるステップと、
を備え、
前記少なくとも一つの剥離アセンブリは、前記剥離ローラのスパン方向長さに沿って配置された複数の剥離リブを備える方法。
【請求項１５】
前記作像部材が作像ベルトであり、前記作像ベルトが内圧ローラの周りを通り、前記対向部材が前記作像ベルトと接する外圧ローラであって、前記内圧ローラと、前記外圧ローラとの間に前記作像ベルトを挟むことによって、前記転写ニップを形成する、請求項１４に記載の方法。
【請求項１６】
前記剥離ローラが、前記内圧ローラの直径より短い直径を有する、請求項１５に記載の方法。
【請求項１７】
少なくとも前記剥離ローラの表面は、前記処理方向における前記転写ニップの下流の前記受像媒体に対して、前記受像媒体基材の付着力を超えて前記剥離力を及ぼす材料によって形成されている、請求項１４に記載の方法。
【請求項１８】
前記剥離ローラの前記表面は、シリコーン材料で形成されている、請求項１７に記載の方法。
【請求項１９】
さらに、前記処理方向における前記少なくとも一つの剥離デバイスの下流に配置された一つのペアの出口ピンチローラを備え、当該出口ピンチローラが前記受像媒体の搬送を行う、請求項１４に記載の方法。